(57)【要約】【課題】モデル台から離れた場所からでも、手元のスイッチを操作することにより、モデルの角度を自由に変えることができる電動式回転モデル台を提供する。【解決手段】電動式回転モデル台１は、基台５に固定される略円形凹状の固定台２と、該固定台上に回転可能に嵌合する略円形倒凸状の回転台３と、駆動プーリー部４ａを備えたギヤードモーター４と、前記回転台の側面及び前記モーターの駆動プーリー部に巻架された伝動ベルト７と、前記モーターのＯＮ、ＯＦＦを操作する操作手段とから構成されている。【選択図】図１
0003138432.tif 000002
【実用新案登録請求の範囲】
【請求項１】
基台に固定される略円形凹状の固定台と、該固定台上に回転可能に嵌合する略円形倒凸状の回転台と、駆動プーリー部を備えたギヤードモーターと、前記回転台の側面及び前記モーターの駆動プーリー部に巻架された伝動ベルトと、前記モーターのＯＮ、ＯＦＦを操作する操作手段と、からなることを特徴とする電動式回転モデル台。
【請求項２】
前記伝動ベルトが巻架される前記回転台の側面は、円形倒Ｌ字型の部材で形成されていることを特徴とする請求項１に記載の電動式回転モデル台。
【請求項３】
前記固定台と前記回転台とが当接するそれぞれの縁部には、円周に沿って互いに対応した溝が設けられ、該溝にボール又はローラが嵌め込みされていることを特徴とする請求項１又は２に記載の電動式回転モデル台。
【請求項４】
前記回転台には、セットスクリューが螺挿されていることを特徴とする請求項１から３までのいずれか１項に記載の電動式回転モデル台。
【考案の詳細な説明】
【技術分野】
【０００１】
本考案は、彫刻を彫ったり、絵を描く際に、そのモデルを乗せるための電動式回転モデル台に関する。
【背景技術】
【０００２】
従来より、彫刻家や画家等のいわゆる美術家が、そのモデルの彫刻や絵を描くときに、人間や動物等のモデルを台に乗せて行う手法がよく用いられている。この台は回転可能なものがあり、その台を回転させることにより、一方向からいろいろな角度でそのモデルを観察することができる。
【考案の開示】
【考案が解決しようとする課題】
【０００３】
しかしながら、このような台は手動で回転させるのが通常であるため、美術家がモデルの観察角度を変えるたびに、台に行き、再び離れた場所に戻って作業を続けることになり、作業効率を悪いものにしていた。
【０００４】
本考案は上記従来例の欠点に鑑みてなされたものであり、モデル台から離れた場所からでも、手元のスイッチを操作することにより、モデルの角度を自由に変えることができる電動式回転モデル台を提供することにある。
【課題を解決するための手段】
【０００５】
上記目的を達成するため、本考案に係る電動式回転モデル台は、基台に固定される略円形凹状の固定台と、該固定台上に回転可能に嵌合する略円形倒凸状の回転台と、駆動プーリー部を備えたギヤードモーターと、前記回転台の側面及び前記モーターの駆動プーリー部に巻架された伝動ベルトと、前記モーターのＯＮ、ＯＦＦを操作する操作手段と、からなることを特徴とするものである。
【０００６】
また、上記電動式回転モデル台における伝動ベルトが巻架される前記回転台の側面は、円形倒Ｌ字型の部材で形成するとよい。
【０００７】
さらに、上記電動式回転モデル台における固定台と回転台とが当触するそれぞれの縁部には、円周に沿って互いに対応した溝が設けられ、該溝にボール又はローラが嵌め込みされていることが望ましい。
【０００８】
さらにまた、上記電動式回転モデル台における回転台には、セットスクリューを螺挿してもよい。
【考案の効果】
【０００９】
本考案の電動式回転モデル台によれば、手元にあるスイッチの操作で回転台の回転が可能になるので、美術家がモデル台と作業場とを往復することがなくなり、作業効率を高めることができる。
【００１０】
また、本考案の電動式回転モデル台は、簡単な構造で構成できるため、製造コストが安価であるとともに、家庭用の１００Ｖの電源で使用が可能なため、特別な工事もなくどこでも使用することができ、またランニングコストもかからない。
【００１１】
さらに、ギヤードモータを使用するため、モデル台をゆっくり回して最適な位置に調整することが可能であるとともに、台上のモデルも安心してポーズを持続することができる。
【００１２】
その上、固定台と回転台との間には、ボール又はローラーが埋設されているので、回転台の回転がスムーズに行わるとともに、回転台にセットスクリューを設けることにより、回転台を好みに位置でしっかりと固定することができる。
【考案を実施するための最良の形態】
【００１３】
以下、図面を参照して、本考案の最良の実施形態を符号を用いて説明する。
【実施例】
【００１４】
図１〜４は、本考案の電動式回転モデル台１をそれぞれ表わしたものであり、このうち、２は固定台、３は前記固定台２の上部に回転可能に設けられた回転台、４は減速機能を備えたギヤードモーターである。
【００１５】
前記固定台２は、略円形の凸状に形成されており、脚部５ａを有する基台５の上部に設置されていて、四方に形成された固定片２ａに螺入されたボルト１１を介して前記基台５と固定されている。
【００１６】
回転台３は、略倒凸状の円形に形成されており、回転可能に前記固定台２に嵌合している。固定台２の縁部２ｂには、円周に沿って溝２ｃが形成されているとともに、前記回転台３の縁部３ｂにも同様に、前記溝２ｃと対応する溝３ｃが形成されている。該溝２ｃ及び３ｃの中には、ボール又はローラー６が嵌め込みされていて、回転台３の回転をスムーズにしている。なお、前記溝２ｃ及び３ｃは、円としてつながっていてもよく、また、部分的なものであってもよい。また、ボール又はローラー６も前記溝２ｃ及び３ｃ一面に嵌め込まれていてもよく、また部分的に嵌め込みされていてもよい。
【００１７】
また、回転台３の周面下部には、円形の突片３ｄが突設されていて、該突片３ｄの下面には、円形倒Ｌ字形の部材であるプーリー部３ａがボルト１２を介して固定されている。
【００１８】
ギヤードモーター４は、１００ボルトの電源で使用できるものであり、前記基台５に付設された保持具８に保持されている。該モーター４は、上部に駆動プーリー部４ａを有し、該駆動プーリー部４ａと前記プーリー部３ａに伝動ベルト７が巻き架けされている。９は、ギヤーボックスであり、該ボックス９内のギヤーによりモーター４の回転速度を低速に制御するもので、その速度は回転台３の回転が、１分間に２分の１から一回転程度に調整するのが望ましい。また、モーター４は、コードでつながれた操作部（図示せず）を備えており、該操作部のスイッチによりモーター４の回転駆動がＯＮ、ＯＦＦされる。
【００１９】
１０は、セットスクリューであり、回転台３の停止時に回転台を固定させるためのもので、該回転台３の静止時において、固定台２の側面二箇所から螺入され、その先端部が回転台３の側面に圧接することにより、回転台３の固定が確実に行われる。
【００２０】
次に、本考案に係る電動式回転モデル台１の動作方法について説明する。
まず、回転台３が静止している状態において、該回転台３にモデルとなるものを乗せる。モデルは物のほか、人間や動物など、モデル台が重量に耐えられるものならどのようなものでもよい。特にモデルが人間や動物である場合には、回転台３に乗せる際に前記セットボルト１０で回転台３を固定していると安全である。そして、モデルのポーズ等を決め、コンセントにプラグが差し込まれた状態で、前記操作部のスイッチをＯＮにすると、前記モーター４の駆動プーリー部４ａが回転し、伝動ベルト７により動力が伝えられ、前記回転台３の回転が始まる。
【００２１】
そして、モデルが好みの位置又は角度に来たときに、美術家は前記スイッチをＯＦＦし、回転を止める。なお、前記回転台３は、ギヤーボックス９内のギヤーにより、その速度が制御されており、１分間に半回転又は１回転というゆっくりとした速度で回転するため、美術家は好みの位置又は角度で回転台３を止めることができる。
【００２２】
このとき、必要に応じて回転台３が動かないように、前記セットスクリュー１０にて回転台３を固定台２と固定するようにしてもよい。
【００２３】
そして、再びモデルの位置又は角度を変えたい場合には、再度前記スイッチを操作することにより、回転台３を好みの位置又は角度まで回転させる。
【００２４】
なお、上記セットスクリュー１０にて、回転台３が固定されている場合には、スイッチをＯＮにする前にまずセットスクリュー１０を緩めて、固定台２との固定を解除することが必要である。
【００２５】
本考案では、前記ボール又はローラー６により回転台３の回転がスムーズに行くように工夫されていること、及び電動により回転台３を回転可能としたことにより、例えば馬などの重いものをモデルにした場合でも、簡単に回転台３を回転させることが可能となる。また、遠隔操作により回転台３を回転させることができるので、美術家の余計な手間や労力、時間を省くことができ、作業効率を高めることができる。
【００２６】
以上、本考案の実施例につき図面を参照して詳細に説明したが、本考案はこれに限定されず、実用新案登録請求の範囲に記載した構成の範囲内において様々な態様で実施することができる。
【産業上の利用可能性】
【００２７】
本考案は、彫刻や絵画等の美術の分野だけではなく、およそモデルを必要とするあらゆる分野において利用が可能である。
【図面の簡単な説明】
【００２８】
【図１】本考案に係る電動式回転モデル台の正面図である。
【図２】本考案に係る電動式回転モデル台の平面図である。
【図３】本考案に係る電動式回転モデル台における固定台及び回転台のＡ−Ａ線正面断面図である。
【図４】本考案に係る電動式回転モデル台における固定台の平面図である。
【符号の説明】
【００２９】
１    電動式回転モデル台
２    固定台
３    回転台
３ａ  プーリー部
４    ギヤードモーター
４ａ  駆動プーリー部
５    基台
６    ボール、ローラー
７    伝動ベルト
８    モーター保持具
９    ギヤボックス
１０  セットスクリュー
【図１】
0003138432.tif 000003
【図２】
0003138432.tif 000004
【図３】
0003138432.tif 000005
【図４】
0003138432.tif 000006